(57)【特許請求の範囲】
【請求項１】
表示パネルを有する可動側筐体と内部に回路基板を有する固定側筐体とをヒンジ構造により連結した携帯端末装置であって、
前記固定側筐体の回路基板ベース板に固設された回路基板のコネクタには、前記可動側筐体の電気系統に通電を行なう細線同軸ケーブルが接続され、
前記細線同軸ケーブルは、内部に複数の細線が埋設されたケーブル本体と、当該ケーブル本体に接続されたケーブルコネクタとを備え、
前記回路基板ベース板には、前記細線同軸ケーブルを保護するケーブル収容カバー部材が設けられ、
前記ケーブル収容カバー部材は、
前記細線同軸ケーブルの前記ケーブル本体の周囲を包囲するケーブル包囲部材と、前記ケーブルコネクタの周囲を包囲するコネクタ包囲部材とを備え、
前記ケーブル収容カバー部材を構成する前記コネクタ包囲部材の上面部には、前記回路基板に設けられたコネクタの上面部を支持するコネクタ支持面が形成されており、
前記ケーブル収容カバー部材を構成する前記コネクタ包囲部材の前記コネクタ支持面には、前記コネクタ支持面によって支持される前記コネクタの上面部の一部を露出させる切り欠き窓が形成されていることを特徴とする携帯端末装置。
【請求項２】
前記ケーブル収容カバー部材を構成する前記ケーブル包囲部材と前記コネクタ包囲部材の所定の領域には、カバーメッキ処理または金属蒸着処理が施されていることを特徴とする請求項１に記載の携帯端末装置。
【請求項３】
前記ケーブル収容カバー部材を構成する前記ケーブル包囲部材の所定の位置には、前記回路基板ベース板に形成された嵌合孔と嵌合自在な位置決めピンが形成されていることを特徴とする請求項１または２に記載の携帯端末装置。
【請求項４】
前記ケーブル収容カバー部材は、全体が透明の樹脂部材が選定されることを特徴とする請求項１〜３の何れか一つに記載の携帯端末装置。
【発明の詳細な説明】
【技術分野】
【０００１】
本発明は、２つの筐体が連結部を介して重ね合わせ自在に連結された携帯電話機等の携帯端末装置に関するものであり、特に２つの筐体間を電気接続する細線同軸ケーブルを保護するケーブル保護構造を備えた携帯端末装置に関するものである。 
【背景技術】
【０００２】
近年の携帯電話機は、小型化等の要望に応えるために、２つの筐体（固定側筐体と可動側筐体）をヒンジ構造による折り畳み方式等により重ね合わせ自在としたものが多い。このように固定側筐体と可動側筐体とをヒンジ構造で連結した携帯端末装置では、固定側筐体に回路基板を備えている。
【０００３】
そして、この回路基板のコネクタには、可動側筐体と電気接続するシールド構造を備えた細線同軸ケーブルなどが接続されている。ここで、このような筐体間を電気接続する細線同軸ケーブルは、ケーブル部分にバラ線部があり、このバラ線部をまとめるのに手間が掛かるうえ、ケーブルをレイアウトする場合などに断線が発生する恐れなどがある。
【０００４】
このため、このような細線同軸ケーブルの断線を解決するための従来のケーブル保護構造として、例えば、特許文献１には、電子機器のケース内に設けた線材をＲＦモジュールホルダの側面に設けたＬ字型リブの突起により支持することで、配線位置を固定することができる収容構造について開示されている。
【０００５】
また、例えば、特許文献２には、複数のケーブル束を挟持した状態で位置決めを行なう挟持部を備えた細線同軸ケーブルの収容構造について開示されている。
【０００６】
【特許文献１】特開平１１−３３０７３１号公報
【特許文献２】特開２００７−２９９０７２号公報
【発明の開示】
【発明が解決しようとする課題】
【０００７】
ところが、上述した従来の携帯電話機の場合には、この携帯電話機に細線同軸ケーブルを組み付ける作業は極めて困難であるという問題がある。具体的に説明すると、細線同軸ケーブルを回路基板ベースに組み付ける場合に、依然として細線同軸ケーブルの実装位置がずれたり、回路基板ベース上の他の機構部品との干渉により細線同軸ケーブルの端部側（バラ線部）が断線するなどの問題が発生する恐れがある。
【０００８】
本発明は、上記に鑑みてなされたものであって、２つの筐体を重ね合わせ自在に連結する連結部内を介して配設される細線同軸ケーブルのケーブルルートの確保およびケーブルの断線を防止することができる携帯端末装置を提供することを目的とする。
【課題を解決するための手段】
【０００９】
携帯端末装置を構成する固定側筐体の回路基板ベース板に固設された回路基板のコネクタには、細線同軸ケーブルが接続され、当該細線同軸ケーブルは、内部に複数の細線が埋設されたケーブル本体と、ケーブル本体に接続されたケーブルコネクタとを備えるとともに、回路基板ベース板に設けられたケーブル収容カバー部材は、細線同軸ケーブルのケーブル本体の周囲を包囲するケーブル包囲部材と、ケーブルコネクタの周囲を包囲するコネクタ包囲部材とを備えることを要件とする。
【発明の効果】
【００１０】
携帯端末装置の固定側筐体の回路基板のコネクタには、可動側筐体と固定側筐体との通電経路を電気接続する細線同軸ケーブルが接続され、当該細線同軸ケーブルは、ケーブル収容カバーのケーブル包囲部材およびコネクタ包囲部材の内部にそれぞれ収納された状態で回路基板ベース板に配設されるので、細線同軸ケーブルの実装時の位置ズレおよびケーブルの断線を防止することができる。
【発明を実施するための最良の形態】
【００１１】
以下に添付図面を参照して、この発明に係る携帯端末装置の好適な実施例１を詳細に説明する。本実施例は、携帯端末装置として携帯電話機への適用例を示す。なお、この実施例１によりこの発明が限定されるものではない。 
【実施例１】
【００１２】
ここで、図１は、本発明における実施例１に係る携帯電話機１０を示す外観斜視図である。図１に示すように、携帯電話機１０は、折り畳み式に構成されており、この図１は、携帯電話機１０の開放状態である外観斜視図を示している。なお、以下に示す実施例１によりこの発明が限定されるものではない。 
【００１３】
図１に示すように、携帯電話機１０は、掌サイズの固定側筐体１００および可動側筐体２００と、これらの固定側筐体１００および可動側筐体２００とを重ね合わせ自在に連結する連結部２５０とを備える。本実施例１では、連結部２５０は、２つのヒンジ構造２５１、２５２からなり、固定側筐体１００と可動側筐体２００とを折り畳み自在に連結している。
【００１４】
すなわち、同図に示すように、携帯電話機１０は、送話用に用いられるとともに、テンキー（０〜９）を有するテンキー１１１や機能キー（モード設定キー）１１２などの各種操作キーを備える固定側筐体１００と、この固定側筐体１００と、ほぼ同等サイズに形成されたＬＣＤモジュール（図示せず）を備える可動側筐体２００とを、連結部２５０により折り畳み自在に連結して構成している。
【００１５】
これら固定側筐体１００及び可動側筐体２００は、箱形状に形成され、その材料には、例えば、軽量で高強度のマグネシウム合金などが使用される。 
【００１６】
このうち、固定側筐体１００は、テンキー１１１などの各種操作キー側(図１の上側)を備えた操作パネル板１１５側に位置する固定フロントケース１１０と、背面側(図１の下側)に位置する固定リアケース１２０との２分割構造から構成されている。
【００１７】
同図に示すように、固定フロントケース１１０には、テンキー１１１、機能キー（モード設定キー）１１２やテレビ電話キー１１３と、携帯電話機１０の利用者の音声を電気信号に変換するマイクロホンが内部に配設された送話口１１４とが設けられている。これら両ケース１１０、１２０は、それぞれ４箇所の位置で取り付けネジ（図示せず）によるネジ止め固定により組み付けられている。 
【００１８】
同様に、可動側筐体２００は、表示パネル２１１側に位置する可動フロントケース２１０と、背面側に位置する可動リアケース２２０との２分割構造から構成されている。これら、両ケース２１０、２２０もそれぞれ４箇所の位置で取り付けネジ(図示せず)により取り付け固定される。このうち、可動フロントケース２１０には、携帯電話機１０の使用者の耳を当てて音声を聞き取るための受話口２１２が配設されている。また、表示パネル２１１の上部位置には、ネジ用の目隠しカバー２１３が設けられている。
【００１９】
次に、図２を参照して、固定側筐体１００を構成する固定フロントケース１１０及び固定リアケース１２０の内部構成について説明する。図２は、固定側筐体の内部を示す分解斜視図である。
【００２０】
すなわち、図２に示すように、固定側筐体１００は、固定フロントケース１１０と操作パネル板１１５と固定側フロント基板１３０と固定フレーム１４０と回路基板ベース１５０と固定リアケース１２０とにより構成されている。さらに、本実施例１では、固定フレーム１４０と回路基板ベース１５０との間に細線同軸ケーブル３００およびケーブル収容カバー４００を配置している。
【００２１】
細線同軸ケーブル３００は、ケーブル本体部３１０と、このケーブル本体部３１０の先端部に固設された接続コネクタ３２０とを備えている。後述するように、細線同軸ケーブル３００の接続コネクタ３２０の端子部３２１が回路基板ベース１５０に設けた回路基板１５５のコネクタ１５６と接続される。
【００２２】
ここで、本実施例１では細線同軸ケーブル３００は、ケーブル収容カバー４００のケーブル包囲部材４２０およびコネクタ包囲部材４１０の内部にそれぞれ収納された状態で回路基板１５５の回路基板ベース１５０に配設されるので、細線同軸ケーブル３００の実装時の位置ズレおよびケーブルの断線を防止することに特徴がある。
【００２３】
[ケーブル収容カバー４００の構成]
次に、図３−１〜図３−５を参照して、ケーブル収容カバーの構成の詳細について説明する。ここで、図３−１は、ケーブル収容カバーの全体構成を示す平面図を、図３−２は、側面図を、図３−３は、上面斜視図を、図３−４は、下面斜視図を、図３−５は、裏面図をそれぞれ示している。また、図４は、ケーブル収容カバーの取り付けを説明する上方向からの分解斜視図を、図５は、ケーブル収容カバーの取り付けを説明する下方向からの分解斜視図をそれぞれ示している。
【００２４】
ここで、ケーブル収容カバー４００は、細線同軸ケーブル３００のケーブル本体部３１０（バラ線部）の保護およびケーブル本体部３１０の引き回しガイド（ガイド溝）として機能するケーブル収容カバー４００を回路基板ベース１５０の上面に貼り付け固定することにより、細線同軸ケーブル３００のケーブル本体部３１０を保護するとともに、ケーブルルートを安定させ、且つ細線同軸ケーブル３００の実装時の位置ズレを防止する点にある。
【００２５】
すなわち、図３−１〜図３−５および図４〜図５に示すように、ケーブル収容カバー４００は、全体が略Ｌ字型に成形されるとともに、横長状に形成され主に細線同軸ケーブル３００の２つの接続コネクタ３２０を包囲して保護するコネクタ包囲部材４１０と、縦長状に形成され主に細線同軸ケーブル３００のケーブル本体部３１０を包囲し保護するたケーブル包囲部材４２０とを備えている。ここで、このケーブル収容カバー４００は、全体が透明の樹脂材料などにより成形されているので、細線同軸ケーブル３００の保護状態やケーブルの引き回し状態を目視により確認することができる。
【００２６】
また、このケーブル収容カバー４００を構成するコネクタ包囲部４１０およびケーブル包囲部材４２０のうちコネクタ包囲部４１０は、コ字型に形成されるとともに、平面板部４１１と、この平面板部４１１の両側に位置する一対の側面部４１２とを備えている。また、コネクタ包囲部４１０を構成する切り欠き４１４が設けられた上面板部４１３の下面部は、回路基板１５５に固設されたコネクタ１５６の上面に当接されており、このコネクタ１５６から細線同軸ケーブル３００の接続コネクタ３２０が抜けることを防止している。
【００２７】
また、このコネクタ包囲部４１０の下面板部４１５の底面２箇所位置には、２個の両面テープ４１６が固着されており、これら２個の両面テープ４１６の粘着面が回路基板ベース１５０に対する貼り付け固定面となる。
【００２８】
また、ケーブル包囲部材４２０は、平面板部４２１と、この平面板部４２１の両側に位置する一対の側面部４２２とにより構成されている。このうち、平面板部４２１の下面部の一端部（図３−４の上側）には、位置決めピン４２３が突設され、この位置決めピン４２３は、回路基板ベース１５０の嵌合孔１５１と嵌合する。これにより、回路基板ベース１５０に対するケーブル収容カバー４００の位置決めを行なうことができる。
【００２９】
さらに、この平面板部４２１の下面部には、１個の両面テープ４２４が固着されており、この両面テープ４２４の粘着面が回路基板ベース１５０に対する貼り付け固定面となる。ここで、ケーブル収容カバー４００は、メッキ又は属金蒸着処理を施す構成としてもよく、この場合は、回路基板ベース１５０と回路基板１５５のコネクタ１５６とのグランド強化が可能となる。
【００３０】
[ケーブル収容カバー４００の取り付け方法]
次に、回路基板ベース１５０に対する細線同軸ケーブル３００とケーブル収容カバー４００との取り付け手順の一例を説明する。ここで、図６は、細線同軸ケーブルおよびケーブル収容カバーの取り付け手順を説明する説明図を、図７は、図６の回路基板ベースの裏面図をそれぞれ示している。
【００３１】
すなわち、先ず、（１）回路基板ベース１５０の所定位置にケーブル収容カバー４００を貼り付け固定する。具体的に説明すると、ケーブル収容カバー４００のコネクタ包囲部４１０の両面テープ４１６およびケーブル包囲部材４２０に設けられた両面テープ４２４とによりケーブル収容カバー４００を回路基板ベース１５０に貼り付け固定する。（２）次に、回路基板ベース１５０に固定フレーム１４０を取り付ける。（３）次に、回路基板ベース１５０に設けた回路基板１５５のコネクタ１５６に細線同軸ケーブル３００の接続コネクタ３２０の端子部３２１をそれぞれ嵌入させ接続する。
【００３２】
以上説明したように、本実施例１の携帯電話機１０を構成する固定側筐体１００に備えた回路基板１５５のコネクタ１５６には、可動側筐体２００と固定側筐体１００との通電経路を電気接続する細線同軸ケーブル３００が接続され、当該細線同軸ケーブル３００は、ケーブル収容カバー４００のケーブル包囲部材４２０およびコネクタ包囲部４１０の内部にそれぞれ収納された状態で回路基板ベース１５０に配設されるので、細線同軸ケーブル３００の断線を防止するとともに、ケーブルルートを安定させ、且つ細線同軸ケーブル３００の実装時の位置ズレを防止することができる。
【００３３】
（他の実施例）
なお、本実施例１では、ヒンジ部による折り畳み方式の携帯電話機への適用例として説明したが、図示例のヒンジ構造に限らず各種ヒンジ構造に適用でき、さらには、ヒンジ構造による折り畳み方式に限らず、例えばスライド方式や平面内回転方式の連結部構成によって固定側筐体に対して可動側筐体を重ね合わせ自在としたものであっても同様に適用することができる。 
【００３４】
また、本実施例１では、携帯端末装置として、携帯電話機への適用例として説明したが、本発明はこれに限定されるものではなく、ＰＤＡ（Personal Digital Assistants）のような小型情報処理端末、小型音楽再生装置、携帯テレビ、携帯型ゲーム機等の他の各種携帯端末装置の場合にも適用することができる。 
【００３５】
以上の実施例１を含む実施形態に関し、さらに以下の付記を開示する。
【００３６】
（付記１）表示パネルを有する可動側筐体と内部に回路基板を有する固定側筐体とをヒンジ構造により連結した携帯端末装置であって、
前記固定側筐体の回路基板ベース板に固設された回路基板のコネクタには、前記可動側筐体の電気系統に通電を行なう細線同軸ケーブルが接続され、
前記細線同軸ケーブルは、内部に複数の細線が埋設されたケーブル本体と、当該ケーブル本体に接続されたケーブルコネクタとを備え、
前記回路基板ベース板には、前記細線同軸ケーブルを保護するケーブル収容カバーが設けられ、
前記ケーブル収容カバー部材は、略Ｌ字型に構成されるとともに、
前記細線同軸ケーブルの前記ケーブル本体の周囲を包囲するケーブル包囲部材と、前記ケーブルコネクタの周囲を包囲するコネクタ包囲部材とを備えることを特徴とする携帯端末装置。
【００３７】
（付記２）前記ケーブル収容カバーを構成する前記コネクタ包囲部材の上面部には、前記回路基板に設けられたコネクタの上面部を支持するコネクタ支持面が形成されていることを特徴とする付記１に記載の携帯端末装置。
【００３８】
（付記３）前記ケーブル収容カバーを構成する前記ケーブル包囲部材と前記コネクタ包囲部材の全領域には、カバーメッキ処理が施されていることを特徴とする付記１または２に記載の携帯端末装置。
【００３９】
（付記４）前記ケーブル収容カバーを構成する前記ケーブル包囲部材と前記コネクタ包囲部材の所定の領域には、カバーメッキ処理または金属蒸着処理が施されていることを特徴とする付記１に記載の携帯端末装置。
【００４０】
（付記５）前記ケーブル収容カバーを構成する前記ケーブル包囲部材の所定の位置には、前記回路基板ベースに形成された嵌合孔と嵌合自在な位置決めピンが形成されていることを特徴とする付記１に記載の携帯端末装置。
【００４１】
（付記６）前記ケーブル収容カバーは、全体が透明の樹脂部材が選定されることを特徴とする付記１に記載の携帯端末装置。
【産業上の利用可能性】
【００４２】
以上のように、本発明は、携帯電話機等の携帯端末装置に有用であり、特に、細線同軸ケーブルの保護を行なうことのできる携帯端末装置に適している。
【図面の簡単な説明】
【００４３】
【図１】実施例１に係る携帯電話機の開放状態を示す斜視図である。
【図２】固定側筐体の内部を示す分解斜視図である。
【図３−１】ケーブル収容カバーの全体構成を示す平面図である。
【図３−２】ケーブル収容カバーの全体構成を示す側面図である。
【図３−３】ケーブル収容カバーの全体構成を示す上面斜視図である。
【図３−４】ケーブル収容カバーの全体構成を示す下面斜視図である。
【図３−５】ケーブル収容カバーの全体構成を示す裏面図である。
【図４】ケーブル収容カバーの取り付けを説明する上方向からの分解斜視図である。
【図５】ケーブル収容カバーの取り付けを説明する下方向からの分解斜視図である。
【図６】細線同軸ケーブルおよびケーブル収容カバーの取り付け手順を説明する説明図である。
【図７】図６の回路基板ベースを示す裏面図である。
【符号の説明】
【００４４】
１０  携帯電話機
１００  固定側筐体
１１０  固定フロントケース
１１５  操作パネル
１２０  固定リアケース
２００  可動側筐体
２１０  可動フロントケース
２２０  可動リアケース
【図１】
0005050967.tif 000002
【図２】
0005050967.tif 000003
【図３−１】
0005050967.tif 000004
【図３−２】
0005050967.tif 000005
【図３−３】
0005050967.tif 000006
【図３−４】
0005050967.tif 000007
【図３−５】
0005050967.tif 000008
【図４】
0005050967.tif 000009
【図５】
0005050967.tif 000010
【図６】
0005050967.tif 000011
【図７】
0005050967.tif 000012